(57)【要約】【課題】不特定多数の利用者のために設置される複合情報端末を提供する。【解決手段】不特定多数の利用者が用いる複合情報端末であって、ＣＰＵ、メモリ、外部記憶装置を含むパソコン部と、該パソコン部に接続された印刷デバイスと、マイク、スピーカを含むオーディオデバイスと、インターネットに接続された現金収受デバイスと、液晶、タッチパネル、カメラを含む入出力デバイスとを有し、携帯電話の待ち受け画像印刷手段、携帯電話の着声・着メロ作成手段、小額決済手段、インターネット電話手段を有する。【選択図】　　図１
0003097523.tif 000002
【実用新案登録請求の範囲】
【請求項１】
不特定多数の利用者が用いる複合情報端末であって、
ＣＰＵ、メモリ、外部記憶装置を含むパソコン部と、
該パソコン部に接続された
印刷デバイスと、
マイク、スピーカを含むオーディオデバイスと、
インターネットに接続された現金収受デバイスと、
液晶、タッチパネル、カメラを含む入出力デバイスと
を有し、
携帯電話の待ち受け画像印刷手段を有する複合情報端末。
【請求項２】
不特定多数の利用者が用いる複合情報端末であって、
ＣＰＵ、メモリ、外部記憶装置を含むパソコン部と、
該パソコン部に接続された
印刷デバイスと、
マイク、スピーカを含むオーディオデバイスと、
インターネットに接続された現金収受デバイスと、
液晶、タッチパネル、カメラを含む入出力デバイスと
を有し、
携帯電話の着声・着メロ作成手段を有する複合情報端末。
【請求項３】
不特定多数の利用者が用いる複合情報端末であって、
ＣＰＵ、メモリ、外部記憶装置を含むパソコン部と、
該パソコン部に接続された
印刷デバイスと、
マイク、スピーカを含むオーディオデバイスと、
インターネットに接続された現金収受デバイスと、
液晶、タッチパネル、カメラを含む入出力デバイスと
を有し、
小額決済手段を有する複合情報端末。
【請求項４】
不特定多数の利用者が用いる複合情報端末であって、
ＣＰＵ、メモリ、外部記憶装置を含むパソコン部と、
該パソコン部に接続された
印刷デバイスと、
マイク、スピーカを含むオーディオデバイスと、
インターネットに接続された現金収受デバイスと、
液晶、タッチパネル、カメラを含む入出力デバイスと
を有し、
インターネット電話手段を有する複合情報端末。
【考案の詳細な説明】
【０００１】
【考案の属する技術分野】本考案は、不特定多数の利用者のために設置される複合情報端末に関する。
【０００２】
【従来の技術】従来から、たとえばゲームセンタなどに設置された機械を用いてその場で写真を撮影して印刷するものはあった。また、着声、着メロのダウンロードサービスが提供されている。
【０００３】
【考案が解決しようとする課題】近時の携帯電話にはカメラ機能、インターネット接続機能などが加わって、多機能化してきている。しかし、利用者が携帯して持って歩ける大きさ、重さなどには限界があるため、携帯電話の利用を補完することのできる機械が街角に設置されることが、携帯電話利用者の要求にかなうものであると本考案の考案者は気づいた。本考案は、不特定多数の利用者のために設置される複合情報端末を提供することを目的とする。
【０００４】
【課題を解決するための手段】かかる課題を解決すべく、本考案にかかる複合情報端末は、不特定多数の利用者が用いる複合情報端末であって、ＣＰＵ、メモリ、外部記憶装置を含むパソコン部と、該パソコン部に接続された印刷デバイスと、マイク、スピーカを含むオーディオデバイスと、インターネットに接続された現金収受デバイスと、液晶、タッチパネル、カメラを含む入出力デバイスとを有し、携帯電話の待ち受け画像印刷手段を有するものである。
【０００５】請求項２に記載した考案は、不特定多数の利用者が用いる複合情報端末であって、ＣＰＵ、メモリ、外部記憶装置を含むパソコン部と、該パソコン部に接続された印刷デバイスと、マイク、スピーカを含むオーディオデバイスと、インターネットに接続された現金収受デバイスと、液晶、タッチパネル、カメラを含む入出力デバイスとを有し、携帯電話の着声・着メロ作成手段を有するものである。
【０００６】請求項３に記載した考案は、不特定多数の利用者が用いる複合情報端末であって、ＣＰＵ、メモリ、外部記憶装置を含むパソコン部と、該パソコン部に接続された印刷デバイスと、マイク、スピーカを含むオーディオデバイスと、インターネットに接続された現金収受デバイスと、液晶、タッチパネル、カメラを含む入出力デバイスとを有し、小額決済手段を有するものである。
【０００７】請求項４に記載した考案は、不特定多数の利用者が用いる複合情報端末であって、ＣＰＵ、メモリ、外部記憶装置を含むパソコン部と、該パソコン部に接続された印刷デバイスと、マイク、スピーカを含むオーディオデバイスと、インターネットに接続された現金収受デバイスと、液晶、タッチパネル、カメラを含む入出力デバイスとを有し、インターネット電話手段を有するものである。
【０００８】
【考案の実施の形態】以下、図面を参照しつつ、本考案の実施形態について説明する。
【０００９】図１は、本考案にかかる複合情報端末のハードウェア構成を示すブロック図である。おおまかにいうと、ＣＰＵボード１０のバス上に、入出力デバイス２０、現金収受デバイス３０、オーディオデバイス４０、防犯デバイス５０、印刷デバイス６０が接続されたものである。ＣＰＵボード１０には、メモリ、外部記憶装置などが搭載される。入出力デバイスとしては、液晶ディスプレイ、タッチパネル、Ｉ／Ｏカード、カメラ、メモリカードＲ／Ｗ（リーダ／ライタ）が含まれる。現金収受デバイスには、投入された硬貨の識別（真贋、種類）をするコインセレクタ、紙幣識別機、インターネット接続手段が含まれる。インターネット接続をするのは、利用者がおつりをサーバにポイントとしてあずけたり、以前預けたポイントを今回のサービスの対価として支払いに用いるために、サーバ上で管理されているポイントデータベースへのアクセスが必要だからである。
【００１０】図１のオーディオデバイス４０には、マイクとスピーカが含まれる。着声・着メロの作成のために必要である。また、インターネット電話で通話するのに必要となる。防犯デバイス５０は、盗難のおそれがある際に大きな警告音を発するための振動センサ、利用者が近づいたときにアナウンスをするための人センサ、硬貨投入のカウントをするための電磁カウンタが含まれる。印刷デバイス６０には、携帯待ち受け画面や、携帯に付属したカメラで取った画像のプリントを実行するための写真プリンタ、現金の収納などの証拠伝票を発行するためのレシートプリンタが含まれる。
【００１１】図２は、本考案にかかる待ち受け画像印刷手段のハードウェア構成を示すブロック図である。図１に示した構成のうち、破線で囲った部分、すなわちＣＰＵボード１０、入出力デバイス２０、現金収受デバイス３０、印刷デバイス６０とがこの手段を構成している。携帯電話の待ち受け画面がサーバ上にあるものである場合は、インターネット接続手段を介して、その画像をダウンロードした上で印刷デバイスにて印刷することとなる。利用者の携帯電話に保存している画像を印刷したい場合は、入出力デバイス２０を介して携帯電話の接続をして取り込むこともできる。印刷デバイス６０の写真プリンタに利用者の好みの形式で印刷することを可能にできる。
【００１２】図３は、本考案にかかる着声・着メロ作成手段のハードウェア構成を示すブロック図である。破線で囲った部分が関係する。利用者は、オーディオデバイス４０のマイクやスピーカを用いて自分の声で着声を作成して、サーバを介して自分の携帯電話に取り込める。サーバを介するのは、それぞれの電話会社、電話機メーカ、機種などに応じて音声ファイルを加工して用いる必要があるので、サーバ上でその加工を実現した上で携帯電話に取り込むためである。このサービスを有料にするためには、現金収受デバイス３０との連携が必要となる。
【００１３】図４は、本考案にかかる小額決裁手段のハードウェア構成を示すブロック図である。破線で囲った部分が関係する。ここにいう小額決裁とは、たとえば、インターネット通販会社から商品を購入した場合に、その支払いをこの複合情報端末を用いて実行することをいう。インターネット接続手段を用いて、収納代行会社のサーバと接続した上で、支払いを実現することが可能となる。
【００１４】図５は、本考案にかかるインターネット電話手段のハードウェア構成を示すブロック図である。破線で囲った部分が関係する。インターネット電話は、インターネットプロトコルを用いて音声情報、画像情報を相手とやり取りすることによって実現した電話である。常時接続のインターネット回線を用いれば、電話会社に通話料金を支払う必要がないのが特徴である。この複合情報端末を利用してインターネット電話をかけることを有料とするためには、現金収受デバイス３０との連携が必要となる。
【００１５】図６は、本考案にかかる複合情報端末の待機時の動作部分を示すブロック図である。破線で囲った部分がこれに関係する。待機時には、盗難防止、スリーピング状態から通常動作に戻るタイミングを得るための人センサ、硬貨などの数を確認するための電磁カウンタなどが動作する。
【００１６】
【考案の効果】
以上説明したように本考案は、携帯電話待ち受け画面の印刷が手軽にできる印刷機の実現、携帯電話の着声、着メロの作成、利用を手軽にできる情報端末の実現を可能にした。また、小額決裁が手軽にできる情報端末の実現、インターネット電話が手軽にできる情報端末の実現を可能にした。これらが複合された複合情報端末はこれらの相乗効果によって有益な機器となる。また、この複合情報端末を設置した場所には、集客効果が見込める。複数機能をひとつにまとめたことにより、専用端末に比べて利用頻度が増す。インターネットに常時接続されたサーバにて運営・管理を行うので、タイムリーな売り上げ状況の把握、各機能の利用状況確認、利用頻度の時間帯推移など一元管理が行える。プリンタ用紙、プリンタトナー、インクなどの消耗品の残数把握による発注処理やトラブル発生時の早急な対応が可能となる。あらゆる世代層へ利用価値を提供できる。
【図面の簡単な説明】
【図１】本考案にかかる複合情報端末のハードウェア構成を示すブロック図である。
【図２】本考案にかかる待ち受け画像印刷手段のハードウェア構成を示すブロック図である。
【図３】本考案にかかる着声・着メロ作成手段のハードウェア構成を示すブロック図である。
【図４】本考案にかかる小額決裁手段のハードウェア構成を示すブロック図である。
【図５】本考案にかかるインターネット電話手段のハードウェア構成を示すブロック図である。
【図６】本考案にかかる複合情報端末の待機時の動作部分を示すブロック図である。
【符号の説明】
１０　ＣＰＵボード
２０　入出力デバイス
３０　現金収受デバイス
４０　オーディオデバイス
５０　防犯デバイス
６０　印刷デバイス
【図１】
0003097523.tif 000003
【図２】
0003097523.tif 000004
【図３】
0003097523.tif 000005
【図４】
0003097523.tif 000006
【図５】
0003097523.tif 000007
【図６】
0003097523.tif 000008